(57)【要約】      （修正有）【課題】撮像可能枚数を算出する際に用いる動作電流データを取得している間に撮像動作とは異なる動作が行われた場合でも、実際の使用状態に応じた動作電流データを高精度に取得する。【解決手段】被写体像を撮像する撮像装置と、撮像装置に着脱可能な電池とを備える撮像システムであって、設定された期間において、電池から撮像装置に供給される電流を計測して撮像装置の撮像動作時の動作電流データを取得する電流計測手段と、電池の残量を検出する電池残量検出手段と、前記期間において、撮像装置が撮像動作と異なる動作を行う条件が生じた場合に、電池から撮像装置に供給される電流の計測を停止して動作電流データを取得する動作を中止又は中断するように、電流計測手段を制御する制御手段を有し、取得された動作電流データと、前記期間に撮像した枚数と、検出された電池の残量とに基づいて撮像可能枚数を算出するようにした。【選択図】図１
2012178832.tif 000002
【特許請求の範囲】
【請求項１】
被写体像を撮像する撮像装置と、前記撮像装置に着脱可能な電池とを備える撮像システムであって、
設定された期間において、前記電池から前記撮像装置に供給される電流を計測して前記撮像装置の撮像動作時の動作電流データを取得する電流計測手段と、
前記電池の残量を検出する電池残量検出手段と、
前記期間において、前記撮像装置が撮像動作と異なる動作を行う条件が生じた場合に、前記電池から前記撮像装置に供給される電流の計測を停止して前記動作電流データを取得する動作を中止又は中断するように、前記電流計測手段を制御する制御手段と、
前記電流計測手段によって取得された動作電流データと、前記期間に前記撮像装置が前記被写体像を撮像した枚数と、前記電池残量検出手段によって検出された電池の残量とに基づいて前記撮像装置の撮像可能枚数を算出する算出手段とを有することを特徴とする撮像システム。
【発明の詳細な説明】
【技術分野】
【０００１】
本発明は、撮像システムに関する。
【背景技術】
【０００２】
近年、撮像装置の一つとして、被写体からの光を、光学レンズを介して撮像素子に結像して被写体の画像を撮像及び記録する電子カメラが普及してきている。電子カメラは、一般的に、電池から供給される電力によって動作するが、電池が貯蔵している電力は有限であるため、電池残量が所定量以下に減少した場合、撮像等の動作が不可能（即ち、電子カメラが使用不可能）になる。電子カメラにおいては、使用可能な状態から突然使用不可能な状態になることを防止するために、電池残量を定期的に監視（検出）し、電子カメラに備えられた表示機能を用いて電池残量をユーザに通知している。
【０００３】
電池残量を検出する技術としては、例えば、無負荷状態での電圧（開放電圧）と所定の有負荷状態での電圧（有負荷電圧）を測定し、かかる測定結果（開放電圧値及び負荷電圧値）に基づいて内部抵抗値を算出して電池残量を予測する技術が知られている。電池は、放電すると電圧が低くなる、及び、内部抵抗が高くなるという特性を有しているため、開放電圧値と負荷電圧値から電池残量を予測することが可能である。
【０００４】
また、電池にマイコンを内蔵させて充電電流量及び放電電流量を電池自身で常に監視（検出）するＦＧ（Ｆｕｅｌ  Ｇａｕｇｅ）と呼ばれる新しい技術も提案されている。ＦＧは、開放電圧値と有負荷電圧値から電池残量を予測する技術と異なり、充電電流量及び放電電流量（充放電電流データ）を直接取得することができるため、電池残量を高精度に検出することが可能である。なお、電子カメラと電池との間には通信信号線が構成されており、電池から監視データを受信することで、電子カメラ側において電池残量を把握することができる。
【０００５】
一方、ユーザに通知される電池残量は、例えば、「満充電状態に対して５０％」というように示されるのが一般的である。従って、電池残量を撮像可能枚数に換算するとどのくらいになるのかは直感的にはわからず、ユーザの経験的な判断に任せている（即ち、通知された電池残量に基づいてユーザ側で撮像可能枚数を予測している）。その結果、ユーザ側で予測した撮像可能枚数と実際の撮像可能枚数との間に少なからず誤差が生じてしまう。つまり、ユーザが求める情報は、電池残量ではなく、その電池残量で撮像できる撮像可能枚数である。
【０００６】
そこで、電池残量に代わって撮像可能枚数をユーザに通知する技術が提案されている（特許文献１参照）。特許文献１では、撮像時の動作電流データと電池残量とに基づいて撮像可能枚数を算出している。１コマ撮像するために必要な電流積算量及び電池残量がわかれば、撮像可能枚数を求めることが可能である。
【０００７】
特許文献１に開示された技術では、電池残量を高精度に把握すること、及び、実際の撮像時の電流積算量と演算に使用される動作電流データとが一致していることが重要である。電池残量に関しては、ＦＧを用いることで電池残量を高精度に把握することが可能である。一方、実際の撮像時の電流積算量と演算に使用される動作電流データとを完全に一致させることは、撮像状態（撮像モード）によって電流値が大きく変動するため、非常に困難である。特許文献１では、撮像モードに応じた代表的な動作電流データを予め電子カメラに用意している。例えば、スポーツモードでは連写で複数枚連続撮像することを想定したり、夜景モードではストロボ発光及びスローシャッタを想定したりして、それぞれの撮像モードに特化した動作電流データを用意している。
【０００８】
また、実際に撮像した際の動作電流データを連続的に取得して、かかる動作電流データを用いて撮像可能枚数を算出する技術も提案されている。かかる技術では、ユーザの操作を介して実際の撮像時の動作電流データを直接取得することで、ユーザの意図した（即ち、撮像状態（撮像モード）に応じた）動作電流データを取得することができるため、撮像可能枚数を高精度に算出することが可能となる。
【先行技術文献】
【特許文献】
【０００９】
【特許文献１】特開２００４−３３６３３６号公報
【発明の概要】
【発明が解決しようとする課題】
【００１０】
しかしながら、従来技術では、撮像時の動作電流データを取得する際に、動作電流の計測を開始してから完了するまでの動作が一連のシーケンスとなっている。従って、動作電流データを取得している間に、通常の電力消費量とは異なる特殊な機能を使用した場合や撮像以外の機能を長時間使用した場合には、その動作電流までも動作電流データに反映されてしまうため、撮像可能枚数の算出精度を劣化させてしまう。また、通常の電力消費量とは異なる特殊な機能を使用した場合や撮像以外の機能を長時間使用した場合には、動作電流データの取得を最初からやり直すことも考えられるが、動作電流を再度計測することは非常に煩わしい。
【００１１】
本発明は、撮像可能枚数を算出する際に用いる動作電流データを取得している間に撮像動作とは異なる動作が行われた場合でも、実際の使用状態に応じた動作電流データを高精度に取得することができる撮像システムを提供することを例示的目的とする。
【課題を解決するための手段】
【００１２】
上記目的を達成するために、本発明の第１の側面としての撮像システムは、被写体像を撮像する撮像装置と、前記撮像装置に着脱可能な電池とを備える撮像システムであって、設定された期間において、前記電池から前記撮像装置に供給される電流を計測して前記撮像装置の撮像動作時の動作電流データを取得する電流計測手段と、前記電池の残量を検出する電池残量検出手段と、前記期間において、前記撮像装置が撮像動作と異なる動作を行う条件が生じた場合に、前記電池から前記撮像装置に供給される電流の計測を停止して前記動作電流データを取得する動作を中止又は中断するように、前記電流計測手段を制御する制御手段と、前記電流計測手段によって取得された動作電流データと、前記期間に前記撮像装置が前記被写体像を撮像した枚数と、前記電池残量検出手段によって検出された電池の残量とに基づいて前記撮像装置の撮像可能枚数を算出する算出手段とを有することを特徴とする。
【００１３】
本発明の更なる目的又はその他の特徴は、以下、添付図面を参照して説明される好ましい実施例によって明らかにされるであろう。
【発明の効果】
【００１４】
本発明によれば、例えば、撮像可能枚数を算出する際に用いる動作電流データを取得している間に撮像動作とは異なる動作が行われた場合でも、実際の使用状態に応じた動作電流データを高精度に取得することができる撮像システムを提供することができる。
【図面の簡単な説明】
【００１５】
【図１】本発明の一側面としての撮像システムの構成を示す概略ブロック図である。
【図２】図１に示す撮像システムにおける撮像可能枚数を算出する動作を説明するためのフローチャートである。
【図３】図１に示す撮像システムの撮像装置における動作電流データを算出するための動作を説明するためのフローチャートである。
【図４】図１に示す撮像システムの２次電池における動作電流データを算出するための動作を説明するためのフローチャートである。
【図５】動作電流データを取得する動作を中止又は中断する条件を設定する設定画面の一例を示す図である。
【発明を実施するための形態】
【００１６】
以下、添付図面を参照して、本発明の好適な実施の形態について説明する。なお、各図において、同一の部材については同一の参照番号を付し、重複する説明は省略する。
【００１７】
図１は、本発明の一側面としての撮像システム１の構成を示す概略ブロック図である。撮像システム１は、被写体の画像を撮像する撮像装置１００と、撮像装置１００に着脱可能（装着可能）に構成されて撮像装置１００に電力を供給する２次電池２００とを有する。撮像装置１００及び２次電池２００のそれぞれには、電力供給用及びデータ通信用の端子部３００ａ及び３００ｂが設けられている。撮像装置１００の端子部３００ａと２次電池２００の端子部３００ｂとが接続することによって、撮像装置１００に２次電池２００が装着される。
【００１８】
撮像装置１００は、本実施形態では、電子カメラとして具現化され、光学レンズ１０２と、撮像処理回路１０４と、画像処理回路１０６と、メモリ制御回路１０８と、システム制御回路１１０とを有する。更に、撮像装置１００は、不揮発性メモリ１１２と、メモリ１１４と、表示回路１１６と、記録用メモリ１１８と、ＤＣＤＣコンバータ１２０と、外部接続機器インターフェース（ＩＦ）１２２と、操作スイッチ１２４とを有する。
【００１９】
光学レンズ１０２は、被写体像を撮像処理回路１０４に含まれる撮像素子に結像する。
【００２０】
撮像処理回路１０４は、撮像素子やＡＤ変換器などを含み、光学レンズ１０２を介して結像された被写体像をＡＤ変換してデジタルデータにする。
【００２１】
画像処理回路１０６は、撮像処理回路１０４で変換されたデジタルデータ（被写体像）に対して所定の画像処理を施す回路である。
【００２２】
メモリ制御回路１０８は、システム制御回路１１０と、メモリ１１４と、表示回路１１６と、記録用メモリ１１８との間において、データの送受信を制御する。
【００２３】
システム制御回路１１０は、撮像装置１００の全体を制御する回路である。システム制御回路１１０には、２次電池２００と通信する（即ち、２次電池２００とデータの送受信を行う）通信回路としての機能が内蔵されている。また、システム制御回路１１０は、撮像システム１において主演算を行う演算処理回路としての機能も備えている。例えば、システム制御回路１１０は、電池制御回路２０４と通信し、撮像可能枚数を算出する。なお、システム制御回路１１０は、所定の期間（本実施形態では、電流計測回路２０６が電流を計測する期間）において、撮像装置１００が被写体像を撮像した枚数を検出する機能を備えている。
【００２４】
不揮発性メモリ１１２は、システム制御回路１１０の動作用の定数、変数、プログラムなどを記録するメモリである。
【００２５】
メモリ１１４は、ＳＤＲＡＭなどの高速アクセス可能な揮発性メモリで構成される。
【００２６】
表示回路１１６は、ＬＣＤディスプレイなどの表示デバイスを含み、撮像した画像をフルカラーで表示したり、撮像した画像サイズや容量、記録用メモリ１１８の空き容量などを表示したりする。また、表示回路１１６は、入力デバイスとしても使用することが可能である。
【００２７】
記録用メモリ１１８は、撮像装置１００に着脱可能に構成され、空き容量が不足した場合は交換することができる。
【００２８】
ＤＣＤＣコンバータ１２０は、端子部３００ａ及び３００ｂを介して、２次電池２００から供給される電力を電圧変換して、撮像装置１００の各回路に供給する機能を有する。
【００２９】
外部機器接続ＩＦ１２２は、例えば、ＵＳＢ通信プロトコルを介してパーソナルコンピュータ（ＰＣ）等の外部機器とデータの送受信が可能なインターフェースである。
【００３０】
操作スイッチ１２４は、システム制御回路１１０と接続し、撮像装置１００の操作に関連する指示を入力するためのスイッチである。操作スイッチ１２４は、本実施形態では、表示回路１１６と共同して、動作電流データを取得する動作を中止又は中断する条件を設定する設定手段として機能する。
【００３１】
２次電池２００は、外部接続機器としての撮像装置１００に対して、撮像動作、オートフォーカス動作（ＡＦ）、絞り駆動動作を行うための電力を供給する電池である。２次電池２００は、電池セル２０２と、電池制御回路２０４と、電流計測回路２０６と、電圧計測回路２０８と、メモリ２１０とを有する。
【００３２】
電池セル２０２は、撮像装置１００に供給する電力を貯蔵する機能を有し、例えば、リチウムイオン電池などで構成される。
【００３３】
電池制御回路２０４は、２次電池２００の全体を制御する回路である。電池制御回路２０４は、端子部３００ａ及び３００ｂを介してシステム制御回路１１０に接続され、４線式シリアルインターフェースなどで通信可能な構成となっている。換言すれば、電池制御回路２０４には、撮像装置１００と通信する（即ち、撮像装置１００とデータの送受信を行う）通信回路としての機能が内蔵されている。また、電池制御回路２０４は、電流計測回路２０６が計測した充電電流量と放電電流量とに基づいて電池残量を算出（検出）する電池残量検出手段として機能する。
【００３４】
電流計測回路２０６は、電池セル２０２から撮像装置１００に供給される電流、充電時にチャージャーから供給される電流（充電電流量）や放電時の電流（放電電流量）を計測する回路である。また、電流計測回路２０６は、撮像装置１００の撮像動作時の動作電流データを取得するための回路としても機能する。
【００３５】
電圧計測回路２０８は、電池セル２０２の電圧を計測する回路である。
【００３６】
メモリ２１０は、電池制御回路２０４を介して、電流計測回路２０６及び電圧計測回路２０８の計測結果を記録する。なお、メモリ２１０は、電流計測回路２０６及び電圧計測回路２０８の計測結果を順次記録して履歴データとして記録することができる。また、メモリ２１０は、電池制御回路２０４で算出された電池残量を記録することも可能である。
【００３７】
以下、図２を参照して、撮像システム１における撮像可能枚数を算出する動作について説明する。
【００３８】
まず、ステップＳ４０２において、システム制御回路１１０は、２次電池２００の電池残量データＺ［ｍＡｈ］を取得する。具体的には、システム制御回路１１０は、電池制御回路２０４と通信し、電池残量データＺ［ｍＡｈ］を要求する。かかる要求に対して、電池制御回路２０４は、メモリ２１０に記録された電流計測回路２０６の計測結果（充電電流量及び放電電流量）に基づいて電池残量を算出し、電池残量データＺ［ｍＡｈ］としてシステム制御回路１１０に送信する。
【００３９】
次に、ステップＳ４０４において、システム制御回路１１０は、不揮発性メモリ１１２から動作電流データＸ［ｍＡｈ］を読み出す。動作電流データＸ［ｍＡｈ］は、画像を１コマ撮像するために必要な電流積算量を表すパラメータである。なお、動作電流データＸ［ｍＡｈ］を算出（取得）する動作については後で詳細に説明する。
【００４０】
次いで、ステップＳ４０６において、システム制御回路１１０は、ステップＳ４０２で取得した電池残量データＺ［ｍＡｈ］とステップＳ４０４で読み出した動作電流データＸ［ｍＡｈ］とに基づいて撮像可能枚数α［枚］を算出する。撮像可能枚数α［枚］は、具体的には、以下の式１から算出することができる。
【００４１】
【数１】
2012178832.tif 000003
【００４２】
次に、ステップＳ４０８において、システム制御回路１１０は、ステップＳ４０６で算出した撮像可能枚数α［枚］を表示回路１１６に表示して、ユーザに撮像可能枚数を通知する。
【００４３】
ここで、図３及び図４を参照して、撮像システム１における動作電流データを算出（取得）する動作について説明する。図３は、撮像システム１の撮像装置１００における動作電流データを算出するための動作を説明するためのフローチャートである。図４は、撮像システム１の２次電池２００における動作電流データを算出するための動作を説明するためのフローチャートである。まず、撮像装置１００における動作電流データを算出するための動作について説明する。
【００４４】
まず、ステップＳ５０２において、システム制御回路１１０は、動作電流データを取得するための電流を計測する期間（電流計測期間）を設定する。詳細には、ステップＳ５０２は、ユーザが、表示回路１１６や操作スイッチ１２４を用いたＧＵＩ操作によって、例えば、所定の時間、所定のショット数、所定の電池容量などを電流計測期間として入力することで実行される。
【００４５】
次いで、ステップＳ５０４において、システム制御回路１１０は、ステップＳ５０２で設定した電流計測期間であっても、電流を計測しない条件（電流計測除外条件）、即ち、動作電流データを取得する動作を中止又は中断する条件を設定する。図５は、動作電流データを取得する動作を中止又は中断する条件を設定する設定画面の一例を示す図である。図５に示す設定画面は、撮像装置１００の表示回路１１６に表示される。ステップＳ５０４は、ユーザが、表示回路１１６に表示された図５に示す設定画面の各項目に対して、操作スイッチ１２４を用いたＧＵＩ操作によって電流の計測を中断するのか、中止するのか、或いは、計測するのかを入力することで実行される。本実施形態では、外部機器接続ＩＦ１２２にＵＳＢ機器が接続された場合に、動作電流データを取得する動作を中断する条件を設定したとする。
【００４６】
次に、ステップＳ５０６において、システム制御回路１１０は、電池制御回路２０４と通信し、電池セル２０２から供給される電流値（即ち、撮像装置１００の動作電流値）をΔｔ［ｍｓｅｃ］毎に定期的に計測するように指示する。
【００４７】
電流値の計測を指示したシステム制御回路１１０は、ステップＳ５０８において、ユーザから撮像動作の指示等を受け付けて通常の動作を行うと共に、電池制御回路２０４から電流データ（計測した電流値）が送信されたかどうか監視する。但し、一般には、ステップＳ５０８において、電池制御回路２０４から電池データが送信されることはなく、後述するように、２次電池２００のメモリ２１０の空き容量がなくなった場合にのみ電池制御回路２０４から電池データが送信される。
【００４８】
システム制御回路１１０は、電池制御回路２０４から電流データが送信されると、ステップＳ５１０において、電池制御回路２０４から電流データを受信する。また、システム制御回路１１０は、ステップＳ５１２において、ステップＳ５１０で電池制御回路２０４から受信した電流データを不揮発性メモリ１１２に記録する。不揮発性メモリ１１２には、電池制御回路２０４から電流データを受信するたびに順次記録される。
【００４９】
なお、２次電池２００のメモリ２１０の空き容量が十分にあり、ステップＳ５０８で電池制御回路２０４から電流データが送信されていなければ、ステップＳ５１４に進む。
【００５０】
ステップＳ５１４において、システム制御回路１１０は、現在の撮像装置１００の状態がステップＳ５０４で設定した動作電流データを取得する動作を中止又は中断する条件を満たしているかどうかを判断する。
【００５１】
本実施形態では、外部機器接続ＩＦ１２２にＵＳＢ機器が接続されると、システム制御回路１１０は、動作電流データを取得する動作を中止又は中断する条件を満たしていると判断し、ステップＳ５１６にて、電池制御回路２０４に電流値の計測の停止を指示する。
【００５２】
また、システム制御回路１１０は、ステップＳ５１８において、ステップＳ５０４で設定した動作電流データを取得する動作を中止又は中断する条件が解除されたかどうかを判断する。本実施形態では、システム制御回路１１０は、外部機器接続ＩＦ１２２の接続状況を監視して、ＵＳＢ機器の接続が解除されると、ステップＳ５０４で設定した動作電流データを取得する動作を中止又は中断する条件が解除されたと判断する。
【００５３】
ステップＳ５０４で設定した動作電流データを取得する動作を中止又は中断する条件が解除されると、システム制御回路１１０は、ステップＳ５２０において、電池制御回路２０４に対して電流計測の再開を指示して、ステップＳ５０８に戻る。
【００５４】
このようにして、ステップＳ５０４で設定した動作電流データを取得する動作を中止又は中断する条件を満たしている間は、電流の計測を停止することで不要な電流データを取得しないようにすることができる。なお、不要な電流データとは、撮像動作時と異なる動作時の電流データであって、例えば、通常の電力消費量とは異なる特殊な機能を使用した場合や撮像以外の機能を長時間使用した場合の電流データである。
【００５５】
一方、ステップＳ５１４において、現在の撮像装置１００の状態がステップＳ５０４で設定した動作電流データを取得する動作を中止又は中断する条件を満たしていないとシステム制御回路１１０が判断した場合には、ステップＳ５２２に進む。
【００５６】
ステップＳ５２２において、システム制御回路１１０は、ステップＳ５０２で設定した動作電流データを取得するための電流を計測する期間（電流計測期間）が終了したかどうかを判定する。電流を計測する期間が終了していなければステップＳ５０８に戻り、電流を計測する期間が終了していればステップＳ５２４に進む。
【００５７】
ステップＳ５２４において、電池セル２０２から供給される電流値の計測の終了を電池制御回路２０４に指示する。
【００５８】
次いで、ステップＳ５２６では、電池制御回路２０４から電流データを受信する。また、ステップＳ５２８において、システム制御回路１１０は、ステップＳ５２６で電池制御回路２０４から受信した電流データを不揮発性メモリ１１２に記録する。このようにしてユーザが意図する撮像装置１００の動作時の電流データが不揮発性メモリ１１２に記録される。
【００５９】
次に、ステップＳ５３０において、システム制御回路１１０は、不揮発性メモリ１１２に記録されている全ての電流データを読み出す。不揮発性メモリ１１２には、１次行列の電流データＩ（Ｎ）が記録されている。
【００６０】
次いで、ステップＳ５３２において、システム制御回路１１０は、動作電流データＸを算出する。電池セル２０２から供給される電流値を計測したサンプリング周期はΔｔ［ｍｓｅｃ］であることから、動作電流データＸは、以下の式２から算出することができる。
【００６１】
【数２】
2012178832.tif 000004
【００６２】
式２において、Ｎは動作電流データの数、Ｙは電池セル２０２から供給される電流値を計測している期間に撮像した枚数である。
【００６３】
なお、システム制御回路１１０は、ステップＳ５３０で算出した動作電流データＸを不揮発性メモリ１１２に記録し、上述した撮像可能枚数を算出する際に用いる。
【００６４】
次に、２次電池２００における動作電流データを算出するための動作について説明する。
【００６５】
まず、システム制御回路１１０から電流値を計測する指示（ステップＳ５０６）を受け付けた電池制御回路２０４は、ステップＳ６０２において、電流計測回路２０６を制御して、Δｔ［ｍｓｅｃ］毎に電池セル２０２から供給される電流値を計測する。また、電池制御回路２０４は、ステップＳ６０４において、ステップＳ６０２で計測した電流値をメモリ２１０に記録する。
【００６６】
次いで、電池制御回路２０４は、ステップＳ６０６において、システム制御回路１１０からの指示（ステップＳ５１６又はＳ５２４）を受信したかどうかを確認する。システム制御回路１１０からの指示を受信していなければ、ステップＳ６０８に進む。
【００６７】
ステップＳ６０８において、電池制御回路２０４は、計測した電流値を記録するメモリ２１０の空き容量が十分であるかどうか（次に計測される電流値を記録できるかどうか）を確認する。
【００６８】
メモリ２１０の空き容量が十分であれば、ステップＳ６０２に戻り、ステップＳ６０２乃至Ｓ６０８を繰り返す。これにより、計測された電流値（電流データ）は、メモリ２１０に順次記録されていくため、１次の行列データとなって記録される。
【００６９】
メモリ２１０の空き容量が十分でなければ（即ち、メモリ２１０の空き容量が所定量以下になった場合には）、ステップＳ６１０に進む。ステップＳ６１０において、電池制御回路２０４は、システム制御回路１１０と通信し、メモリ２１０に記録されている１次行列の電流データを送信する（ステップ５０８及びＳ５１０に相当）。
【００７０】
また、電流データの送信が完了すると、電池制御回路２０４は、ステップＳ６１２において、メモリ２１０に記録されている電流データを削除する。これにより、メモリ２１０に空き容量を確保することができる。
【００７１】
一方、システム制御回路１１０からの指示を受信していれば、ステップＳ６１４に進む。ステップＳ６１４において、電池制御回路２０４は、システム制御回路１１０から受信した指示が電流値の計測の停止の指示（ステップＳ５１６）であるのか、電流値の計測の終了の指示（ステップＳ５２４）であるのかを判別する。
【００７２】
システム制御回路１１０から受信した指示が電流値の計測の停止の指示（ステップＳ５１６）であれば、電池制御回路２０４は、ステップＳ６１６において、電流計測回路２０６を制御して、電流値の計測を停止する。そして、ステップＳ６１８において、電池制御回路２０４は、システム制御回路１１０から電流値の計測の再開の指示を待ち、システム制御回路１１０から電流値の計測の再開の指示を受信したら、ステップＳ６０２に戻り、電流値の計測を再開する。
【００７３】
システム制御回路１１０から受信した指示が電流値の計測の終了の指示（ステップＳ５２４）であれば、電池制御回路２０４は、ステップＳ６２０において、電流計測回路２０６を制御して、電池セル２０２から供給される電流値の計測を終了する。
【００７４】
次いで、ステップＳ６２２において、電池制御回路２０４は、メモリ２１０に記録されている１次行列の電流データをシステム制御回路１１０に送信する（ステップＳ５２６に相当）。このようにしてユーザが意図する撮像装置１００の動作時の電流データがシステム制御回路１１０に送信される。
【００７５】
また、電流データの送信が完了すると、電池制御回路２０４は、ステップＳ６２４において、メモリ２１０に記録されている電流データを削除する。
【００７６】
このように、本実施形態の撮像システム１によれば、撮像可能枚数を算出する際に用いられる動作電流データを取得する間において、予め設定された所定条件を満たす場合（撮像動作とは異なる動作が行われた場合）に電流値の計測を停止することができる。従って、撮像システム１は、ユーザの意図した使用状態に応じた動作電流データを高精度に取得することが可能となり、撮像可能枚数を高精度に算出することができる。
【００７７】
本実施形態においては、動作電流データＸは、動作電流データを取得する期間に電池セル２０２から供給される電流の積算値を示す情報と電池セル２０２から供給される電流値を計測している期間に撮像した枚数を示す情報とを含んでいる。但し、動作電流データを取得する期間に電池セル２０２から供給される電流の積算値を示す情報のみを動作電流データとし、電池セル２０２から供給される電流値を計測している期間に撮像した枚数を示す情報を別にしてもよい。この場合、動作電流データを取得する期間に電池セル２０２から供給される電流の積算値を示す動作電流データと、電池セル２０２から供給される電流値を計測している期間に撮像した枚数と、電池残量とに基づいて撮像可能枚数を算出する。
【００７８】
なお、本実施形態においては、動作電流データを取得する動作を中止又は中断する条件として、外部機器接続ＩＦ１２２にＵＳＢ機器が接続された場合を例に説明した。但し、図５に示した設定画面の他の項目、例えば、オートプレイ動作、或いは、所定時間の再生動作のいずれかが実行された場合を、動作電流データを取得する動作を中止又は中断する条件としてもよい。勿論、複数の条件を組み合わせてもよい。
【００７９】
また、本実施形態では、動作電流データを取得する動作を中止又は中断する条件を満たす場合には、電流値の計測を中断する例を説明した。但し、電流値の計測を中止する場合には、動作電流データを取得する動作を中止又は中断する条件を満たした際に、電流値の計測を終了するシーケンスに移行すればよい。
【００８０】
以上、本発明の好ましい実施例について説明したが、本発明はこれらの実施例に限定されないことはいうまでもなく、その要旨の範囲内で種々の変形及び変更が可能である。
【符号の説明】
【００８１】
１                              撮像システム
１００                          撮像装置
１０２                          光学レンズ
１０４                          撮像回路
１０６                          画像処理回路
１０８                          メモリ制御回路
１１０                          システム制御回路
１１２                          不揮発性メモリ
１１４                          メモリ
１１６                          表示回路
１１８                          記録用メモリ
１２０                          ＤＣＤＣコンバータ
１２２                          外部機器接続インターフェース
１２４                          操作スイッチ
２００                          ２次電池
２０２                          電池セル
２０４                          電池制御回路
２０６                          電流計測回路
２０８                          電圧計測回路
２１０                          メモリ
３００ａ及び３００ｂ            端子部
【図１】
2012178832.tif 000005
【図２】
2012178832.tif 000006
【図３】
2012178832.tif 000007
【図４】
2012178832.tif 000008
【図５】
2012178832.tif 000009
【手続補正書】
【提出日】平成24年4月27日(2012.4.27)
【手続補正１】
【補正対象書類名】特許請求の範囲
【補正対象項目名】全文
【補正方法】変更
【補正の内容】
【特許請求の範囲】
【請求項１】
電子機器であって、
前記電子機器によって第１の処理が行われる場合に、電池から前記電子機器に供給される電流の検出が開始されるように指示する制御手段と、
検出された電流と、前記電子機器によって生成された画像の枚数と、前記電池の残量とに基づいて、撮像可能枚数を検出する検出手段とを有し、
前記電子機器によって前記第１の処理と異なる第２の処理が行われる場合に、前記制御手段は、前記電池から前記電子機器に供給される電流の検出が停止されるようにし、
前記制御手段は、前記検出手段によって検出された撮像可能枚数が表示デバイスに表示されるようにし、
前記第１の処理は、撮像のための処理を含むことを特徴とする電子機器。
【請求項２】
前記第２の処理は、前記電子機器と、ＵＳＢ（Ｕｎｉｖｅｒｓａｌ  Ｓｅｒｉａｌ  Ｂｕｓ）に対応する装置とが接続される場合に行われる処理を含むことを特徴とする請求項１に記載の電子機器。
【請求項３】
前記第２の処理は、再生するための処理を含むことを特徴とする請求項１または２に記載の電子機器。
【請求項４】
前記電子機器によって、バルブ撮影を行うための処理が行われる場合、前記制御手段は、前記電池から前記電子機器に供給される電流の検出が停止されるようにすることを特徴とする請求項１から３のいずれか１項に記載の電子機器。
【請求項５】
前記第２の処理は、オートプレイを行うための処理を含むことを特徴とする請求項１から４のいずれか１項に記載の電子機器。
【請求項６】
前記第２の処理を設定するための設定手段をさらに有することを特徴とする請求項１から５のいずれか１項に記載の電子機器。
【請求項７】
前記電子機器は、カメラを含むことを特徴とする請求項１から６のいずれか１項に記載の電子機器。
【請求項８】
請求項１から７のいずれか１項の電子機器を制御するための制御方法。
【請求項９】
電子機器によって撮像のための第１の処理が行われる場合に、電池から前記電子機器に供給される電流の検出が開始されるように指示するステップと、
検出された電流と、前記電子機器によって生成された画像の枚数と、前記電池の残量とに基づいて、撮像可能枚数を検出するステップと、
前記電子機器によって前記第１の処理と異なる第２の処理が行われる場合に、前記電池から前記電子機器に供給される電流の検出が停止されるようにするステップと、
検出された撮像可能枚数が表示デバイスに表示されるようにするステップとを有することを特徴とする制御方法。
【手続補正３】
【補正対象書類名】明細書
【補正対象項目名】０００１
【補正方法】変更
【補正の内容】
【０００１】
本発明は、電子機器及び制御方法に関する。
【手続補正４】
【補正対象書類名】明細書
【補正対象項目名】００１１
【補正方法】変更
【補正の内容】
【００１１】
本発明は、撮像可能枚数を算出する際に用いる電流データを取得している間に撮像動作とは異なる動作が行われた場合でも、実際の使用状態に応じた電流データを高精度に取得することができるようにすることを目的とする。
【手続補正５】
【補正対象書類名】明細書
【補正対象項目名】００１２
【補正方法】変更
【補正の内容】
【００１２】
本発明に係る電子機器は、電子機器であって、前記電子機器によって第１の処理が行われる場合に、電池から前記電子機器に供給される電流の検出が開始されるように指示する制御手段と、検出された電流と、前記電子機器によって生成された画像の枚数と、前記電池の残量とに基づいて、撮像可能枚数を検出する検出手段とを有し、前記電子機器によって前記第１の処理と異なる第２の処理が行われる場合に、前記制御手段は、前記電池から前記電子機器に供給される電流の検出が停止されるようにし、前記制御手段は、前記検出手段によって検出された撮像可能枚数が表示デバイスに表示されるようにし、前記第１の処理は、撮像のための処理を含むことを特徴とする。
また、本発明に係る制御方法は、電子機器によって撮像のための第１の処理が行われる場合に、電池から前記電子機器に供給される電流の検出が開始されるように指示するステップと、検出された電流と、前記電子機器によって生成された画像の枚数と、前記電池の残量とに基づいて、撮像可能枚数を検出するステップと、前記電子機器によって前記第１の処理と異なる第２の処理が行われる場合に、前記電池から前記電子機器に供給される電流の検出が停止されるようにするステップと、検出された撮像可能枚数が表示デバイスに表示されるようにするステップとを有することを特徴とする。
【手続補正６】
【補正対象書類名】明細書
【補正対象項目名】００１４
【補正方法】変更
【補正の内容】
【００１４】
本発明によれば、例えば、撮像可能枚数を算出する際に用いる電流データを取得している間に撮像動作とは異なる動作が行われた場合でも、実際の使用状態に応じた電流データを高精度に取得することができる。